(57)【要約】【課題】配管内の流水の有無を正確に検知できるようにする。【解決手段】  火災報知器８からの信号に基づいて、配管の一次側３と二次側４とを制御弁１で開閉させる機能を有する制御盤１２を備えた予作動式スプリンクラー設備において、前記二次側４の配管内に開口する導水管１１を設け、その導水管１１に圧力スイッチ１０と信号停止弁２０を設けた。信号停止弁２０は、制御盤１２によって動作し、前記制御弁１による前記配管の開閉に連動して前記導水管１１を開閉する。制御弁１が閉弁状態であれば信号停止弁２０も閉弁し、配管内の水圧は圧力スイッチ１０には導入されない。また、制御弁１が開弁すれば信号停止弁２０も開弁し、一次側３から二次側４へ供給される水の動水圧が圧力スイッチ１０に導入され流水を検知する。導水管１１が、制御弁１と連動する信号制御弁２０によって開閉されるので、弁体２や弁座の摩耗等の影響を受けず、流水検知装置は流水の有無を正確に検知できる。【選択図】図１
2008006086.tif 000002
【特許請求の範囲】
【請求項１】
制御弁１によって配管の一次側３と二次側４とを開閉するスプリンクラー設備に用いられ、前記二次側４の配管内に開口する導水管１１を設けてその導水管１１に圧力スイッチ１０を設け、前記圧力スイッチ１０が導水管１１内の水圧により前記一次側３から二次側４への流水の有無を検知する流水検知装置において、
前記導水管１１の前記配管内への開口と前記圧力スイッチ１０との間に、前記制御弁１による前記配管の開閉に連動して前記導水管１１を開閉する信号停止弁２０を設けたことを特徴とする流水検知装置。
【請求項２】
前記スプリンクラー設備は、火災報知器８からの信号に基づいて前記制御弁１を動作させる機能を有する制御盤１２を備えた予作動式スプリンクラー設備であり、前記制御盤１２は、前記制御弁１による前記配管の開閉に連動して前記信号停止弁２０により前記導水管１１を開閉する機能を有するものであることを特徴とする請求項１に記載の流水検知装置。
【請求項３】
前記制御弁１及び前記信号停止弁２０はそれぞれバタフライ弁又はスイング弁であり、前記制御弁１の弁軸６の回転が前記信号停止弁２０の弁軸２６に伝達されるようになっており、その回転の伝達により前記制御弁１による前記配管の開閉に連動して前記信号停止弁２０により前記導水管１１を開閉することを特徴とする請求項１に記載の流水検知装置。
【発明の詳細な説明】
【技術分野】
【０００１】
この発明は、消火用スプリンクラー設備に使用される流水検知装置に関するものである。
【背景技術】
【０００２】
一般に、消火用スプリンクラー設備に使用される流水検知装置は、建物内の天井等に設置されたスプリンクラーヘッドに通じる配管の途中に設けられ、その配管に生じた流水を検知して、スプリンクラー設備が作動していることを示す所定の警報を発信することを目的とするものである。
【０００３】
例えば、特許文献１に示すように、湿式スプリンクラー設備では、スプリンクラーヘッドに通じる配管内は常に圧力水が充満した状態に維持されており、スプリンクラーヘッドには感熱部が設けられて常温ではシールされた状態となっている。
火災が発生し感熱部が熱で溶けると、そのシールされていた部分が開放されて放水が開始される。放水により配管に流水が生じると、配管の途中に設けられた逆止弁の弁体が開き、その弁体によって塞がれていた流水検知装置の流路が開いて、その流路を介して水圧が警報装置に作用するようになっている。水圧が警報装置に作用すると、配管に流水が生じていることを示す所定の警報を発令する。
【０００４】
また、特許文献２に示すように、制御弁を挟んで二次側に加圧空気を充填した乾式スプリンクラー設備に流水検知装置を設けたものもある。
【０００５】
また、流水検知装置は、予作動式スプリンクラー設備にも使用される。
予作動式スプリンクラー設備では、スプリンクラーヘッドとは別に設けられた感知器が火災の発生を感知すると、制御弁を開放させるとともに、スプリンクラーヘッドの感熱部が溶けてシールが開放され、放水が開始される。
このように、制御弁の開放、感熱部のシールの開放が併せて行われることにより放水が開始されるようにし、装置の誤作動による誤った放水を防ぐものである（例えば、特許文献３参照）。
【特許文献１】特開２００５−９５３７３号公報
【特許文献２】特開２００３−３０５１３７号公報
【特許文献３】特開平６−７９０１４号公報
【発明の開示】
【発明が解決しようとする課題】
【０００６】
上記各スプリンクラー設備に備えられる流水検知装置は、例えば、図５（ａ）（ｂ）に示すように、流水検知装置の導水管１１が制御弁１の弁座に開口して設けられており、その弁座に制御弁１の弁体２が当接することによりその導水管１１が閉鎖され、また、弁座から制御弁１の弁体２が離れることによりその導水管１１が開放される。
導水管１１の開閉により、前記制御弁１の開弁状態で、スプリンクラー配管の一次側３から二次側４へ水が供給されている際に、配管内から導水管１１内へ導入される圧力と、前記制御弁１の閉弁状態で、スプリンクラー配管の一次側３から二次側４へ水が供給されていない際における前記導水管１１内の圧力との間に差異が生じる。その差異により、流水検知装置が配管内の流水の有無を検知する。
【０００７】
しかし、上記のように、流水検知装置の導水管が制御弁の弁座に開口して設けられると、弁体と弁座とが接触、離反を繰り返すことにより、その導水管の開口周囲の弁座が摩耗、損傷する場合がある。開口周囲の弁座、あるいは弁体が摩耗、損傷すると、導水管を水密に閉鎖できなくなり、配管内の流水の有無を正確に検知できなくなるので好ましくない。
【０００８】
そこで、この発明は、配管内の流水の有無を正確に検知できるようにすることを課題とする。
【課題を解決するための手段】
【０００９】
上記の課題を解決するために、この発明は、制御弁によって配管の一次側と二次側とを開閉するスプリンクラー設備に用いられ、前記二次側の配管内に開口する導水管を設けてその導水管に圧力スイッチを設け、前記圧力スイッチが導水管内の水圧により前記一次側から二次側への流水の有無を検知する流水検知装置において、前記導水管の前記配管内への開口と前記圧力スイッチとの間に、前記制御弁による前記配管の開閉に連動して前記導水管を開閉する信号停止弁を設けた構成を採用した。
【００１０】
この構成によれば、制御弁が閉弁状態となれば、導水管の信号停止弁も連動して閉弁される。また、制御弁が開弁状態となれば導水管の信号停止弁も連動して開弁される。すなわち、制御弁が閉弁状態であれば信号停止弁も閉弁し、配管内の圧力は圧力スイッチには導入されない。また、制御弁が開弁状態であれば信号停止弁も開弁し、スプリンクラー配管の一次側から二次側へ水が供給されて、その水圧が導水管を通じて圧力スイッチに導入される。
導水管が、制御弁の開閉と連動する信号停止弁によって開閉されるので、弁体や弁座の摩耗等の影響を受けることなく、流水検知装置は、流水の有無を正確に検知できるようになる。
また、導水管を通じて圧力スイッチに作用する圧力は、信号停止弁の開閉によって、制御弁の閉弁状態、及び開弁状態との間でその差異が顕著となる。このため、流水の有無の検知がさらに正確であるという効果もある。
【００１１】
この構成において、前記スプリンクラー設備は、火災報知器からの信号に基づいて前記制御弁を動作させる機能を有する制御盤を備えた予作動式スプリンクラー設備であり、前記制御盤は、前記制御弁による前記配管の開閉に連動して前記信号停止弁により前記導水管を開閉する構成を採用し得る。
予作動式スプリンクラー設備においては、火災報知器からの信号に基づいて制御弁を開閉動作させる機構、すなわち制御盤、及びその制御盤と火災報知器、制御盤と制御弁間を繋ぐ回路等が備えられているので、その同じ機構で信号停止弁の開閉動作を制御すれば、制御弁の開閉動作と連動して信号停止弁を開閉動作させることができる。このように、制御盤及び配線を介して、制御弁の開閉動作と信号停止弁の開閉動作とを電気的に連動させれば、装置の構成を簡略化し得る。
【００１２】
また、前記制御弁及び前記信号停止弁はそれぞれバタフライ弁又はスイング弁であり、前記制御弁の弁軸の回転が前記信号停止弁の弁軸に伝達されるようになっており、その回転の伝達により前記制御弁による前記配管の開閉に連動した前記信号停止弁により前記導水管を開閉する構成を採用し得る。
このように、制御弁及び信号停止弁が、それぞれバタフライ弁又はスイング弁である場合には、信号停止弁の弁軸に前記制御弁の弁軸の回転を伝達させることにより、制御弁の開閉動作と信号停止弁の開閉動作とを機械的に連動させることができる。
【００１３】
なお、導水管を信号停止弁で開閉する構成を採用したので、導水管は、制御弁の弁体及び弁座から離れた位置に開口させて配管内に連通させても良い。導水管の開口位置の制約が少なくなるので、制御弁の構造をシンプルにすることができる。また、制御弁として、バタフライ弁を採用すれば、スイング弁や玉形弁よりもコンパクトであるので有利である。
【発明の効果】
【００１４】
この発明は、導水管の前記配管内への開口と前記圧力スイッチとの間に、制御弁による配管の開閉に連動して導水管を開閉する信号停止弁を設けたので、流水の有無を正確に検知できる。
【発明を実施するための最良の形態】
【００１５】
一実施形態を、図１及び図２に基づいて説明する。この実施形態は、乾式予作動式スプリンクラー設備に採用される流水検知装置である。
建物内の天井等に設置されたスプリンクラーヘッド７に通じる配管の途中に、バタフライ弁形式の制御弁１が設けられている。スプリンクラー配管内には、その制御弁１の弁体２を挟んで二次側４に空気が、一次側３には水源１４からポンプ１３により供給された水が、所定の水圧で充填されている。
また、スプリンクラーヘッド７には、所定の温度で溶ける感熱部が設けられており、その感熱部は、常温において二次側４の配管内を気密にシールしている。
【００１６】
図１に示すように、制御弁１には、二次側４の弁室内に開口する導水管１１が設けられており、その導水管１１が、制御弁１外に設けた圧力スイッチ１０に通じている。この圧力スイッチ１０は、導水管１１内の水圧が所定の値以上になった際に、それを検知し制御盤１２へ信号を発信する機能を有する。
【００１７】
建物内には、前記スプリンクラーヘッド７とは別に、同じく天井等に火災報知器８が設置されており、この火災報知器８が火災の発生を感知すると、配線３１を介して制御盤１２へ信号を発信する。制御盤１２は、その火災報知器８からの信号に基づいて、配線３３を介して制御弁１の弁体２を開放させるようになっている。火災時には、同時に前記スプリンクラーヘッド７の感熱部が溶けてシールが開放されるので、制御弁１の開放によって二次側４に流れ込んだ水が、その二次側４に充填されていた空気を押し出すとともに、放水が開始される。また、制御盤１２は、配線３２を介してポンプ１３を動作させ、水源１４から配管に水を供給するようになっている。
【００１８】
圧力スイッチ１０に通じる導水管１１は、図２（ａ）（ｂ）に示すように、弁箱５の二次側４の弁室内に開口しており、その導水管１１の途中に設けられた信号停止弁２０は、平常の状態で前記制御弁１とともに閉じられている。
図中に示す符号は、「９」が開閉弁、「２３」が圧力スイッチ１０への水圧の作用を確保するオリフィス、「１５」がオリフィスを通過した水を管外に排出する排水管、「２２」は信号停止弁である。また、符号「１６」は連通管、「２１」は試験弁である。
【００１９】
制御弁１の閉弁状態では、スプリンクラー配管の一次側３から二次側４へ水が供給されておらず、二次側４に充填された空気の気圧が導水管１１内に作用するが、その導水管１１は、信号停止弁２０によって閉じられているのでその空気圧が圧力スイッチ１０に作用することはない。
制御盤１２からの信号により制御弁１が開弁されて、配管の一次側３から二次側４へと水が流通すると、同時に、配線３４を通じて制御盤１２からの信号により信号停止弁２０が開弁される。信号停止弁２０の開弁により、二次側４の弁室内の水圧が導水管１１を通じて圧力スイッチ１０に導入される。圧力スイッチ１０には、導水管１１を通じて配管内の水圧が導入されるので、前記信号停止弁２０の閉弁時と比較すると、その制御弁１の開閉に伴って生じる圧力差は顕著である。
この顕著な圧力差により、圧力スイッチ１０は、導水管１１内の水圧により前記一次側３から二次側４への流水の有無を正確に検知できる。
【００２０】
なお、制御弁１としては、この実施形態に示すバタフライ弁のほか、揺動弁、玉形弁など他の形式の弁装置も採用可能である。
また、圧力スイッチ１０として周知の圧力センサーを採用してもよい。
【００２１】
他の実施形態を図３及び図４に示す。この実施形態は、前記制御弁１及び前記信号停止弁２０をそれぞれバタフライ弁とし、その制御弁１の開閉動作と信号停止弁２０の開閉動作とを機械的に連動させたものである。
【００２２】
図３は、信号停止弁２０の弁軸２６にギヤ２６ａが、制御弁１の弁軸６にギヤ６ａが設けられており、そのギヤ２６ａ，６ａを介して、信号停止弁２０の弁軸２６に制御弁１の弁軸６の回転が伝達されるようになっている。
【００２３】
また、図４に示す構成を採用してもよい。この構成は、信号停止弁２０の弁軸２６と、制御弁１の弁軸６とを一体化したものである。制御弁１の弁軸６が回転すれば、その弁軸６の回転とともに信号停止弁２０の弁軸２６も回転するようになっている。
【００２４】
制御弁１の開閉動作と信号停止弁２０の開閉動作とを機械的に連動させた上記構成では、制御弁１が閉弁状態から開弁状態に移行する際、その制御弁１の弁軸６の回転が信号停止弁２０の弁軸２６に伝達されて、信号停止弁２０が閉弁状態から開弁状態に移行する。
また、制御弁１が開弁状態から閉弁状態に移行する際、その制御弁１の弁軸６の回転が信号停止弁２０の弁軸２６に伝達されて、信号停止弁２０も開弁状態から閉弁状態に移行する。
【００２５】
上記各実施形態は、乾式予作動式スプリンクラー設備に流水検知装置を設置した構成を示したが、上記流水検知装置は、乾式スプリンクラー設備、湿式スプリンクラー設備、又は湿式予作動式スプリンクラー設備においても適用可能である。
【図面の簡単な説明】
【００２６】
【図１】一実施形態を示す流水検知装置の構成図
【図２】同実施形態の作用を示す説明図
【図３】他の実施形態を示す流水検知装置の構成図
【図４】他の実施形態を示す流水検知装置の構成図
【図５】従来例の流水検知装置を示す構成図
【符号の説明】
【００２７】
１  制御弁
２，２５  弁体
３  一次側
４  二次側
５  弁箱
６，２６  弁軸
７  スプリンクラーヘッド
８  火災報知器
９  開閉弁
１０  圧力スイッチ
１１  導水管
１２  制御盤
１３  ポンプ
１４  水源
１５  排水管
１６  連通管
２０，２２  信号停止弁
２１  試験弁
２３  オリフィス
【図１】
2008006086.tif 000003
【図２】
2008006086.tif 000004
【図３】
2008006086.tif 000005
【図４】
2008006086.tif 000006
【図５】
2008006086.tif 000007